(57)【要約】      （修正有）【解決手段】バッチ処理された布地物品をプレスして余分な流体を除去するプレスであって、上プレート及び下プレートを有するフレームを特別に構成したフレームを利用する。フレームは、バッチ処理された布地物品を収容できるように構成された内部を有する容器を支持する。ラムとディスクを有するプレスがラムの下端部で支持される。ディスクは、容器の内部に収容されたバッチ処理物品の上面部に当接するように配置される。ラムとディスクは、上部位置と、ディスクを布地物品に当接させる押圧位置であってディスクと容器との間で布地物品を押圧する下部位置との間で移動可能である。フレームは、上プレートと下プレートとが離間した状態で、プレートの開口孔にて上プレートと下プレートに接続する複数のロッドを含む。【効果】ランドリープレスの疲労寿命を２００％〜３００％延ばすことができる。【選択図】図８
2018138172.tif 000002
【特許請求の範囲】
【請求項１】
ランドリープレス装置であって、
ａ）上プレートと、下プレートと、各々がチューブボアを有し、両プレートを離間して保持する複数のスペーサチューブとを有するフレームを具え、
ｂ）フレームは、バッチ処理された湿潤布地物品を収容できるように構成された内部を有する容器を支持し、
ｃ）フレームは、ラムと該ラムの下端部で支持されたディスクとを含むプレスを支持し、
ｄ）ディスクは、容器の内部に収容されたバッチ処理物品の上面部に当接するように配置され、
ｅ）ラムとディスクは、上部位置と、ディスクを布地物品に当接させる押圧位置である下部位置との間で移動可能であり、
ｆ）フレームは、各々が上端部及び下端部を有し、チューブボアの中を上プレート及び下プレートまで延びる複数のロッドを含んでおり、
ｇ）各ロッドに引張力を作用させ、各チューブに圧縮力を作用させる締結具、
を具えている、ランドリープレス装置。
【請求項２】
各ロッドはねじ部を含み、締結具は該ねじ部に接続されるナットを含んでいる請求項１のプレス。
【請求項３】
ナットは環状スロットを有する請求項２のプレス。
【請求項４】
締結具は、ナットとプレートとの間に配置された予負荷リングを含んでいる請求項２のプレス。
【請求項５】
各予負荷リングは凹部を有し、ナットは、凹部に整合する凸部を有する請求項４のプレス。
【請求項６】
ナットは、荷重支持面と、非荷重支持面と、荷重支持面及び非荷重支持面に亘る長さ部とを有し、環状スロットは、非荷重支持面よりも荷重支持面に近い位置にある請求項３のプレス。
【請求項７】
環状スロットと荷重支持面との離間距離は、前記長さ部の約１／４長さである請求項６のプレス。
【請求項８】
プレートはロッドの端部を受け入れるプレート開口孔を有する請求項６のプレス。
【請求項９】
各ロッドはプレートに接続されないねじ部を有する請求項１のプレス。
【請求項１０】
バッチ処理された布地物品をプレスして布地物品から余分な流体を除去するためのランドリープレスであって、
ａ）各々が複数の開口孔を有する上プレート及び下プレートを有するフレームを具え、
ｂ）フレームは、底部、側部、及びバッチ処理された布地物品を収容できるように構成された内部を有する容器を支持し、
ｃ）上端部及び下端部を有するラムを支持するプレスを具え、ラムは該ラムの下端部で支持されたディスクを含み、
ｄ）ディスクは、容器側部の内側に適合可能であって、容器の内部に収容されたバッチ処理物品に当接するように配置され、
ｅ）ラムとディスクは、上部位置と、ディスクを布地物品に当接させる押圧位置である下部位置との間で移動可能であり、
ｆ）フレームは、上プレートと下プレートとが離間した状態で、プレートの開口孔にて上プレートと下プレートに接続する複数のロッドを含み、各ロッドは、上端部及び下端部の少なくとも一部に外ねじが形成され、上端部及び下端部の直径は、上プレートと下プレートとの間に位置する中央部の直径よりも大きくなるように形成されており、
ｇ）前記中央部は上プレート及び下プレートから離間した位置にあり、
ｈ）各々がロッドの端部の外ねじ部に螺合される複数のナット、
を具えている、ランドリープレス。
【請求項１１】
各ナットは環状スロットを有する請求項１０のプレス。
【請求項１２】
接続部は、ナットとプレートとの間に配置された予負荷リングを含んでいる請求項１０のプレス。
【請求項１３】
各予負荷リングは凹部を有し、ナットは、凹部に整合する凸部を有する請求項１２のプレス。
【請求項１４】
ナットは、荷重支持面と、非荷重支持面と、荷重支持面及び非荷重支持面に亘る長さ部とを有し、環状スロットは、非荷重支持面よりも荷重支持面に近い位置にある請求項１４のプレス。
【請求項１５】
環状スロットと荷重支持面との離間距離は、前記長さ部の約１／４長さである請求項１４のプレス。
【請求項１６】
ランドリープレス装置であって、
ａ）上プレート及び下プレートを有するフレームと、
ｂ）各々がチューブボアを有し、両プレートを離間して保持する複数のスペーサチューブと、を具え、
ｃ）フレームは、バッチ洗濯処理された濡れ布地物品を収容できるように構成された内部を有する容器を支持し、
ｄ）細長いラムと該ラムの下端部で支持されたディスクを有するプレスと、を具えており、
ｅ）ディスクは、容器の内部に収容されたバッチ処理物品の上面部に当接するように配置され、
ｆ）ラムとディスクは、上部位置と、ディスクを布地物品に当接させる押圧位置である下部位置との間で移動可能であり、
ｇ）フレームは、各々が上端部及び下端部を有し、チューブボアの中を上プレート及び下プレートまで延びる複数のロッドを含み、
ｈ）各ロッドに引張力を作用する締結具を具えており、各ロッドに引張力が作用しているとき、各チューブは圧縮状態にある、ランドリープレス装置。
【請求項１７】
各ロッドはねじ部を有する端部を含み、各締結具は端部のねじ部に接続されるナットを含んでいる請求項１６のプレス。
【請求項１８】
ナットは環状スロットを有する請求項１７のプレス。
【請求項１９】
締結具は、ナットとプレートとの間に配置された予負荷リングを含んでいる請求項１７のプレス。
【請求項２０】
各予負荷リングは凹部を有し、ナットは、凹部に整合する凸部を有する請求項１９のプレス。
【請求項２１】
ナットは、荷重支持面と、非荷重支持面と、荷重支持面及び非荷重支持面に亘る長さ部とを有し、環状スロットは、非荷重支持面よりも荷重支持面に近い位置にある請求項１８のプレス。
【請求項２２】
環状スロットと荷重支持面との離間距離は、前記長さ部の約１／４長さである請求項２１のプレス。
【請求項２３】
プレートはロッドの端部を受け入れるプレート開口孔を有する請求項１６のプレス。
【請求項２４】
各ロッドはプレートに接続されないねじ部を有する請求項１６のプレス。
【請求項２５】
バッチ処理された布地物品をプレスして布地物品から余分な流体を除去するプレスであって、
ａ）各々が複数の開口孔を有する上プレート及び下プレートを有するフレームを具え、
ｂ）フレームは、バッチ処理された布地物品を収容できるように構成された内部を有する容器を支持し、
ｃ）ラム及び該ラムの下端部で支持されたディスクを有するプレスを具え、
ｄ）ディスクは、容器の内部に収容されたバッチ処理物品の上面部に当接するように配置され、
ｅ）ラムとディスクは、上部位置と、ディスクを布地物品に当接させる押圧位置であってディスクと容器との間で布地物品を押圧する下部位置との間で移動可能であり、
ｆ）フレームは、上プレートと下プレートとが離間した状態で、プレートの開口孔にて上プレートと下プレートに接続する複数のロッドを含み、各ロッドは、上端部及び下端部の少なくとも一部に外ねじが形成され、上端部及び下端部の直径は、上プレートと下プレートとの間に位置する中央部の直径よりも大きくなるように形成されており、
ｇ）前記中央部は上プレート及び下プレートから離間した位置にあり、
ｈ）各々がロッドの端部の外ねじ部に螺合される複数のナット、
を具えている、プレス。
【請求項２６】
各ナットは環状スロットを有する請求項２５のプレス。
【請求項２７】
接続部は、ナットとプレートとの間に配置されたリングを含んでいる請求項２５のプレス。
【請求項２８】
各リングは凹部を有し、ナットは、凹部に整合する凸部を有する請求項２７のプレス。
【請求項２９】
ナットは、荷重支持面と、非荷重支持面と、荷重支持面及び非荷重支持面に亘る長さ部とを有し、環状スロットは、非荷重支持面よりも荷重支持面に近い位置にある請求項２６のプレス。
【請求項３０】
環状スロットと荷重支持面との離間距離は、前記長さ部の約１／４長さである請求項２９のプレス。
【発明の詳細な説明】
【技術分野】
【０００１】
＜発明者＞
ポイ，ラッセル  エイチ．：アメリカ合衆国民、アメリカ合衆国  ７０１１３  ルイジアナ，ニューオーリンズ，バロンヌ  ストリート  ６０１，ナンバー  ３ビー、及び  クラコウスキ，クリス：アメリカ合衆国民、アメリカ合衆国  ７０１２４  ルイジアナ，ニューオーリンズ，マーシア  アベニュー  ５４６７
＜譲受人＞
ペレリン  ミルナー  コーポレイション：アメリカ合衆国ルイジアナ州法人、アメリカ合衆国  ７００６３  ルイジアナ，ケナー，ジャクソン  ストリート  ７００,  ピー．オー．ボックス  ４００
＜関連出願の記載＞
本願は、米国においては、２０１１年７月２６日に出願された米国仮特許出願第６１／５１１７９１号の正規出願である。
本願は、２０１１年７月２６日に出願された米国仮特許出願第６１／５１１７９１号の優先権を主張し、該米国仮特許出願は引用を以て本明細書に組み込まれるものとする。
＜連邦政府による資金提供を受けた研究開発の記載＞
なし
＜コンパクトディスクの提出＞
なし
【背景技術】
【０００２】
＜発明の背景＞
＜発明の分野＞
本発明は、布地物品(例えば、洗濯物)から流体(例えばリンス水)を押し出す装置の改良に関する。より具体的には、本発明は、洗濯物品から流体を押し出す方法及び装置に関し、プレスフレームのタイロッド機構を特別な構成とすることで、寿命性能が向上するようにしたものである。
【０００３】
＜発明の一般的背景＞
ランドリープレスは、洗濯されたリネンに圧力を作用させることにより、洗濯物から水を除去する。この力は、圧力容器に収容されたリネンに対し、油圧ラムによる圧力を加えることによってもたらされる。水は、リネンから押し出されて、リネンの下にあるスロット又は孔付きのプレートの中に入れられる。以下に記載する特許はランドリープレス及び同様な装置に関するもので、各特許は引用を以て本願に組み込まれるのとする。
【先行技術文献】
【特許文献】
【０００４】
【特許文献１】米国特許第1,359,745号“Ironing Machine”11-23-1920
【特許文献２】米国特許第1,893,190号“Ironing Machine”01-03-1933
【特許文献３】米国特許第2,142,202号“Ironing and Pressing Machine”01-03-1933
【特許文献４】米国特許第2,531,890号“Indexing and Lock Mechanism”11-28-1950
【特許文献５】米国再発行特許第RE  24,257号“Combined Washing and Squeeze Drying Machine”12-18-1956
【特許文献６】米国特許第3,071,878号“Ironing Machine”01-08-1963
【特許文献７】米国特許第3,908,413  Pressing Apparatus for the Pressure Extracting of Liquid 09-30-1975
【特許文献８】米国特許第3,924,425号“Presses for Washing”12-09-1975
【特許文献９】米国特許第4,180,995号“Pressing Apparatus for Squeezing Laundry and the Like”01-01-1980
【特許文献１０】米国特許第4,452,056号“Liquid Extracting Apparatus”06-05-1984
【特許文献１１】米国特許第4,471,637号“Apparatus for Dewatering Items of Washed Laundry”09-18-1984
【特許文献１２】米国特許第4,525,935号“Method for Dewatering Items of Washed Laundry”07-02-1985
【特許文献１３】米国特許第4,574,599号“Apparatus for Pressing Liquid from Cloth Goods”03-11-1986
【特許文献１４】米国特許第4,676,079号“Appliance for Draining Washed Laundry Articles”06-30-1987
【特許文献１５】米国特許第4,753,089号“Water-Removal Press for Textiles”06-28-1988
【特許文献１６】米国特許第5,001,911号“Ram Press for Expressing Liquid from Materials Being Pressed”03-26-1991
【特許文献１７】米国特許第5,065,535号“Indexing System for Rotary Garment Press”11-19-1991
【特許文献１８】米国特許第5,331,755号“Ironing Press with Horizontally Rotatable Pressing Members”07-26-1994
【特許文献１９】米国特許第5,970,637号“Automatic Shirt Pressing Apparatus Including a Vacuum System and Associated Method”10-26-1999
【発明の概要】
【０００５】
ランドリープレスのフレームは、下プレートと上プレートとが４本の支柱又はロッドで保持された構造である。
【０００６】
従来の支柱又はロッドは、機械加工によって上下肩部を形成し、次に両端部にねじ部が形成される。次に、ロッドの上下肩部に締結用ナットが取り付けられる。
【０００７】
これらの支柱は、摩耗による予負荷張力(preload  tension)の定常損失(normal  loss)に加えて、有意の大きさの曲げ力に耐えなければならないため、支柱の寿命が犠牲になることは知られている。
【０００８】
本発明は、ランドリープレスの疲労寿命を２００％〜３００％延ばすことができる。本発明の構造は、スプール及び特別に構成された長い長さ(full  length)のタイロッドを含む。
【０００９】
一実施形態において、締結ナットは、その本体の外側にスロットを有するように構成されている。このスロットは、ナットのねじ山の負荷を全てのねじ山に均等に分配することができる。これまでの構造では、負荷は最初の１つ目〜３つ目のねじ山のみに限られていた。
【００１０】
長い長さのタイロッドは、小径の(reduced)シャンクを有する形状を適用することによって疲労寿命が増大する。支柱のねじ山が結締ナットにより保持されているとき、タイロッドが張力及び曲げ荷重を受けると、小径シャンクは伸びることなく、中央で自由に広がることができる。
【００１１】
本発明は、バッチ処理された布地物品(batches  of  fabric  articles)をプレスして布地物品から余分な流体を除去するプレスを提供する。この装置は上プレート及び下プレートを有するフレームを含む。
【００１２】
フレームは、内部がバッチ処理した布地物品を収容できるように構成された容器を支持する。
【００１３】
フレームは、ラム及びディスクを有するプレスを支持する。ディスクはラムの下端部にて支持される。
【００１４】
ディスクは、容器の内部に入れられる布地物品の上面部に当接するように配置される。
【００１５】
ラムとディスクは、上位置と下位置との間で移動可能であり、下位置は、ディスクが布地物品に当接する押圧位置である。
【００１６】
フレームは、上プレート及び下プレートに連繋する複数のロッドを含み、上プレートと下プレートとを離間させる。ロッドは、各々が上端部及び下端部を有し、直径は、上プレートと下プレートとの間に配置されるロッドの中央部分の直径よりも大きい。中央部分は各プレートから離間している。
【００１７】
一実施形態において、各ロッドは、ロッドのねじ部を含む接続部と該ねじ部に接続されるナットとによって上プレート及び下プレートに取り付けられる。
【００１８】
一実施形態において、ナットは環状スロットを有する。
【００１９】
一実施形態において、接続部は、ナットとプレートとの間に配置される予負荷リングを含む。
【００２０】
一実施形態において、各予負荷リングは凹部を有する。ナットは、負荷リングの凹部に整合する凸部を有する。
【００２１】
一実施形態において、ナットは、荷重支持面(load  bearing  face)と、非荷重支持面(non-load  bearing  face)と、荷重支持面及び非荷重支持面に亘る長さ部とを有する。環状スロットは、非荷重支持面よりも荷重支持面に近い位置にある。一実施形態において、環状スロットは、荷重支持面から上記長さ部の約１／４長さ分が離間した位置にある。
【００２２】
一実施形態において、プレートはロッドの端部を受け入れることができるプレート開口孔を有する。
【００２３】
本発明は、ランドリープレス装置に関するもので、該ランドリープレス装置は、上プレートと、下プレートと、各々がチューブボアを有し、両プレートを離間して保持する複数のスペーサチューブとを有するフレームを具えており、フレームは、バッチ処理された濡れ布地物品を収容できるように構成された内部を有する容器を支持し、プレスを支持するように構成されており、プレスは、ラム及び該ラムの下端部で支持されたディスクを含み、ディスクは、容器の内部に収容されたバッチ処理物品の上面部に当接するように配置され、ラムとディスクは、上部位置と、ディスクを布地物品に当接させる押圧位置である下部位置との間で移動可能であり、フレームは、各々が上端部及び下端部を有し、チューブボアの中を上プレート及び下プレートまで延びる複数のロッドを含んでおり、各ロッドに引張力(tension)を作用させ、各チューブに圧縮力(compression)を作用させる締結具を具えている。
【００２４】
好ましくは、各ロッドはねじ部を含み、締結具はねじ部に接続されるナットを含む。
【００２５】
好ましくは、ナットは環状スロットを有する。
【００２６】
好ましくは、締結具は、ナットとプレートとの間に配置された予負荷リングを含む。
【００２７】
好ましくは、各予負荷リングは凹部を有し、ナットは、凹部に整合する凸部を有する。
【００２８】
好ましくは、ナットは、荷重支持面と、非荷重支持面と、荷重支持面及び非荷重支持面に亘る長さ部とを有し、環状スロットは、非荷重支持面よりも荷重支持面に近い位置にある。
【００２９】
好ましくは、環状スロットは、荷重支持面から上記長さ部の約１／４長さ分が離間している。
【００３０】
好ましくは、プレートはロッドの端部を受け入れるプレート開口孔を有する。
【００３１】
好ましくは、各ロッドはプレートに接続されないねじ部を有する。
【００３２】
本発明は、バッチ処理された布地物品をプレスして布地物品から余分な流体を除去するランドリープレスに関するもので、該ランドリープレスは、各々が複数の開口孔を有する上プレート及び下プレートを有するフレームであって、底部、側部、及びバッチ処理された布地物品を収容できるように構成された内部を有する容器を支持するフレームと、上端部及び下端部を有するラムを支持するプレスとを具え、ラムは該ラムの下端部で支持されたディスクを含み、ディスクは、容器側部の内側に適合可能であって、容器の内部に収容されたバッチ処理物品に当接するように配置され、ラムとディスクは、上部位置と、ディスクを布地物品に当接させる押圧位置である下部位置との間で移動可能であり、フレームは、上プレートと下プレートとが離間した状態で、プレートの開口孔にて上プレートと下プレートに接続する複数のロッドを含み、各ロッドは、上端部及び下端部の少なくとも一部に外ねじが形成され、上端部及び下端部の直径は、上プレートと下プレートとの間に位置する中央部の直径よりも大きくなるように形成されており、前記中央部は上プレート及び下プレートから離間した位置にあり、ロッドの端部の外ねじ部に螺合される複数のナットを具えている。
【００３３】
好ましくは、各ナットは環状スロットを有する。
【００３４】
好ましくは、接続部は、ナットとプレートとの間に配置された予負荷リングを含む。
【００３５】
本発明は、ランドリープレス装置に関するもので、該ランドリープレス装置は、上プレート及び下プレートを有するフレームと、各々がチューブボアを有し、両プレートを離間して保持する複数のスペーサチューブと、細長いラムと該ラムの下端部で支持されたディスクを有するプレスとを具え、フレームは、バッチ洗濯処理された濡れ布地物品を収容できるように構成された内部を有する容器を支持し、ディスクは、容器の内部に収容されたバッチ処理物品の上面部に当接するように配置され、ラムとディスクは、上部位置と、ディスクを布地物品に当接させる押圧位置である下部位置との間で移動可能であり、フレームは、各々が上端部及び下端部を有し、チューブボアの中を上プレート及び下プレートまで延びる複数のロッドを含み、各ロッドに引張力を作用する締結具を具えており、各ロッドに引張力が作用しているとき、各チューブは圧縮状態にある。
【００３６】
好ましくは、各ロッドはねじ部を有する端部を含み、各締結具は端部のねじ部に接続されるナットを含む。
【００３７】
好ましくは、締結具は、ナットとプレートとの間に配置された予負荷リングを含む。
【００３８】
本発明は、バッチ処理された布地物品をプレスして布地物品から余分な流体を除去するプレスに関するもので、該プレスは、各々が複数の開口孔を有する上プレート及び下プレートを有し、バッチ処理された布地物品を収容できるように構成された内部を有する容器を支持するフレームと、ラム及び該ラムの下端部で支持されたディスクを有するプレスとを具え、ディスクは、容器の内部に収容されたバッチ処理物品の上面部に当接するように配置され、ラムとディスクは、上部位置と、ディスクを布地物品に当接させる押圧位置であってディスクと容器との間で布地物品を押圧する下部位置との間で移動可能であり、フレームは、上プレートと下プレートとが離間した状態で、プレートの開口孔にて上プレートと下プレートに接続する複数のロッドを含み、各ロッドは、上端部及び下端部の少なくとも一部に外ねじが形成され、上端部及び下端部の直径は、上プレートと下プレートとの間に位置する中央部の直径よりも大きくなるように形成され、前記中央部は上プレート及び下プレートから離間した位置にあり、各々がロッドの端部の外ねじ部に螺合される複数のナットを具えている。
【００３９】
好ましくは、各ナットは環状溝を有する。
【００４０】
好ましくは、接続部は、ナットとプレートとの間に配置されたリングを含む。
【００４１】
好ましくは、各リングは凹部を有し、ナットは、凹部に整合する凸部を有する。
【００４２】
好ましくは、ナットは、荷重支持面と、非荷重支持面と、荷重支持面及び非荷重支持面に亘る長さ部とを有する。
【００４３】
好ましくは、環状スロットは、荷重支持面から上記長さ部の約１／４長さ分が離間している。
【図面の簡単な説明】
【００４４】
本発明の性質、目的及び利点は、添付の図面と共に以下の詳細な説明によって更なる理解が得られるであろう。なお、同じ引用符号は同じ要素を示している。
【００４５】
【図１Ａ】本発明の装置の好ましい実施形態の部分平面図である。
【図１Ｂ】本発明の装置の好ましい実施形態の側面図である。
【図２】本発明の装置の好ましい実施形態の部分正面断面図であって、上部位置にあるプレスを示している。
【図３】本発明の装置の好ましい実施形態の部分斜視図であって、ロッド部を示している。
【図４】本発明の装置の好ましい実施形態の部分斜視分解図である。
【図５】本発明の装置の好ましい実施形態の部分断面図であって、上部結合部の変形例を示している。
【図６】本発明の装置の好ましい実施形態の部分断面図であって、下部結合部の変形例を示している。
【図７】本発明の装置の好ましい実施形態の部分断面図であって、ナットの拡大図を示している。
【図８】本発明の装置の好ましい実施形態の斜視図である。
【図９】本発明の装置の好ましい実施形態の部分斜視図である。
【図１０】本発明の装置の好ましい実施形態の部分斜視図である。
【図１１】本発明の装置の好ましい実施形態の部分斜視図である。
【図１２】本発明の装置の好ましい実施形態の部分斜視図である。
【図１３】本発明の装置の好ましい実施形態の部分斜視図である。
【図１４】本発明の装置の好ましい実施形態の斜視図である。
【発明を実施するための形態】
【００４６】
図１〜図１４は、本発明の装置の好ましい実施形態を示しており、装置全体は図８及び図１４の中で符号１０によって示されている。本発明は、バッチ処理された布地物品をプレスして布地物品から余分な流体を除去するプレス１０を提供する。図８及び図９において、プレス１０は、機械フレーム１１に取り付けられた圧力シリンダ３６(例えば油圧シリンダ)を用いる。ピストンロッド又はプッシュロッド３７は圧力シリンダ３６から下方へ延びて、ラム３８を支持しており、該ラムは、バッチ処理されシェル又は容器３９内に収容された布地物品に当接する。
【００４７】
従来技術の装置の一例として、米国特許第5,001,911号(‘911号特許)(発明の名称：RAM  Press  for  Expressing  Liquid  from  Materials  Being  Pressed)の図１及び図２には、圧力シリンダ、フレーム、ラム、シェル及びバッチ処理された布地物品を用いた例が示されている。この‘911号特許に示されるように、布地物品から流体を抽出するラムプレスは商業的に入手可能であることは理解されるべきである。
【００４８】
本発明は、圧力シリンダ３６、プッシュロッド３７、ラム３８及び水と共にプレスされるバッチ処理物品４６を支持するフレーム１１を改良するものである。装置１０及び改良されたフレーム１１は図１〜図７においてより詳細に分かる。
【００４９】
図１Ａ及び図１Ｂ、図２及び図８〜図１４に示されるフレーム１１は、上プレート１２、下プレート１３、各々が小径シャンクを有するタイロッド１５を収容できる複数のスペーサ又はスプール１４、及び締結ナット２２、２３(例えば、スロット付きの締結ナット)を具えている。
【００５０】
図２及び図３は、小径シャンクタイロッド１５をより詳細に示している。一般的に、タイロッド１５の長さは、例えば約１５インチ〜１５０インチ(３８ｃｍ〜３８１ｃｍ)である。上部及び底部のねじ部２６、２７の長さは、例えば、１２インチ〜２４インチ(３０ｃｍ〜６１ｃｍ)であり、直径は約３インチ〜１２インチ(８ｃｍ〜３０ｃｍ)である。小径シャンク３０の直径は、一般的には、約２インチ〜１０インチ(５ｃｍ〜２５ｃｍ)であるが、これはねじ部２６、２７の直径に依存する。小径シャンク３０の直径は、ねじ部２６、２７の直径よりも常に小さい。
【００５１】
図１Ａ、図１Ｂ及び図２に示される組立体の形成は、タイロッド１５を約１／１６インチ〜１／２インチ(０．１６ｃｍ〜１．２７ｃｍ)広げて、布地物品又はリネンから水を除去するときの油圧力に耐え得る予荷重を発生させることによって行われる。
【００５２】
したがって、ランドリープレス装置１０は、上プレート又はヘッド１２及び下プレート１３を有するフレーム１１を用いる。下プレート１３には、水が脱出できる開口、スロット又はボアが設けられる。
【００５３】
バッチ処理された布地物品を収容する容器、シェル又は他のコンテナ３９が下プレート１３に載置される。容器又はシェル３９の内部４５に、余分な流体を押し出す必要のある布地物品４６が収容される。上プレート１２は、圧力シリンダを支持する。圧力シリンダは、例えば、プッシュロッド３７及び布地物品に当接するラム３８を有する油圧シリンダ３６である。圧力シリンダ３６は、典型的には、上プレート１２の上に延在する。上プレート１２は開口１６を有しており、該開口１６の中を通って、圧力シリンダ３６のプッシュロッド又はピストンロッド３７が配備される。ラム３８はプレート１２、１３間に配置される(図８及び図１４を参照)。上プレート１２及び下プレート１３の各々は４つのコーナ部を有しており、各コーナ部はロッド１５を有し、該ロッドは、上プレート１２及び下プレート１３の両方に取り付けられる。
【００５４】
図２〜図４は、ロッド１５と、図示のように各ロッド１５の周りに延在するスペーサ又はスプール１４の構造をより具体的に示している。図２及び図４において、コーナ部１７は、ロッド１５と上プレート１２との接続部である。図２及び図４はまた、下プレート１３のコーナ部２０の接続を示している。上プレート１２のコーナ部１７はコーナ部開口孔１８を有する。下プレート１３のコーナ部２０は開口孔２１を有する。
【００５５】
各ロッド１５は、ロッド上端部２４及びロッド下端部２５を有する。ロッド上端部２４は、大径のねじ部２６を有する。ロッド下端部２５は、大径のねじ部２７を有する。
【００５６】
各ロッド１５は小径部３０を有する。ロッドの小径部３０と大径のねじ部２６又は２７との間にテーパ状部又は移行部２８、２９が設けられている。図２〜図４において、テーパ状部又は移行部２８は、小径部３０と大径のねじ部２６との間のテーパ状部又は移行部である。同様に、テーパ状部又は移行部２９が、小径部３０と大径のねじ部２７との間に設けられる。
【００５７】
上部ナット２２が、大径のねじ部２６と共に螺合接続部を形成する。同様に、ナット２３が大径のねじ部２７と共に螺合接続部を形成する。ワッシャ１９が上プレート１２とナット２２との間に配置される。同様に、ワッシャ１９がナット２３と下プレート１３との間に配置される。スペーサ又はスプール１４は、図１Ｂ〜図４に示されるようにロッド１５を囲む。ワッシャ１９は、スペーサ又はスプール１４と上プレート１２との間に配置されることができる。同様に、ワッシャ１９は、スペーサ又はスプール１４と下プレート１３との間に配置されることができる(図２及び図４を参照)。図２は、テーパ状部又は移行部２８がナット２２と上プレート１２との間の接続部の下に延在することを示している。同様に、移行部又はテーパ状部２９は、ナット２３と下プレート１３との接続部の上に延在する。
【００５８】
図５は、上部結合部の変形例を示しており、改変された環状部材又は予負荷リング３２が上プレート１２の上面に載置され、該環状部材又は予負荷リング３２の中にテンションナット３１が収容されている。ナット３１は内側にねじ部が形成され、ロッド１５の端部の外ねじと接続される。図６に示されるように、同様の接続部が、下プレート１３とロッド１５との間に設けられることができる。
【００５９】
図７は、ナット２２の拡大図を示しており、該ナットは、負荷面３３と該負荷面と反対側の対向面３４を有する。図７に示されるように、対向面３４よりも負荷面３３に近い位置に環状溝３５がある。環状溝３５の位置は、例えば、負荷面３３と対向面３４との距離の約１／４で、負荷面３３の方に近い位置にある。ナット２３は図７のナット２２と同じように構成されることができる。ナット２２、２３は、外側を平坦な形状(例えば六角形形状)とすることにより、レンチ又は動力工具によって回転させることができる。ナット２２(又は２３)は、ナット２２又は２３を回転させる工具を受け入れる開口４７を有することができる(図１３を参照)。
【００６０】
図８、図１０及び図１１は、リテーナ４０を示しており、ロッド１５が使用中に破損した
(例えば砕けた)場合、該リテーナを用いることにより、ロッド１５の破損した部分を保持することができる。リテーナ４０は、ロッド１５の外ねじ２６と係合する内ねじを有する取付具４２を含む。取付具４２は、ナット２２の上に配置され、ねじ部２６に螺着される。一対のフランジ４１がボルト接続部４３を用いて取付具４２に取り付けられる。フランジ４１は、図１０に示されるように、上プレート１２の下に延在する水平延在部４４を有する。テンション状態のロッド１５が破損した場合、リテーナ４０により、ロッド１５の上端部が上方へ移動するのを防止する。ロッド１５の飛出しによる損傷又は負傷を引き起こすことが防止される。
【００６１】
以下は、本発明において用いるのに好適な部品及び材料のリストである。
【００６２】
１０  ランドリープレス装置
１１  フレーム
１２  上プレート
１３  下プレート
１４  スペーサ／スプール
１５  ロッド
１６  中央開口
１７  コーナ部
１８  コーナ部開口孔
１９  ワッシャ
２０  コーナ部
２１  コーナ部開口孔
２２  上部ナット
２３  下部ナット
２４  ロッド上端部
２５  ロッド下端部
２６  大径ねじ部
２７  大径ねじ部
２８  テーパ状部／移行部
２９  テーパ状部／移行部
３０  小径部／シャンク
３１  テンションナット
３２  予負荷リングの改変例
３３  負荷面
３４  対向面
３５  環状溝
３６  油圧シリンダ
３７  プッシュロッド／ピストンロッド
３８  ラム
３９  シェル／容器
４０  リテーナ
４１  フランジ
４２  取付具
４３  ボルト接続部
４４  水平延在部
４５  シェル内部
４６  布地物品
４７  開口
【００６３】
本明細書において開示されている全ての測定値は、別途記されない限り、地球上の海水面における標準的な温度及び圧力におけるものである。人間に用いられるか又は人間に用いられることが意図される全ての材料は、別途記されない限り生体適合性である。
【００６４】
上述の実施形態は専ら例示として示されるものであり、本発明の範囲は添付の特許請求の範囲のみによって制限される。
【図１Ａ】
2018138172.tif 000003
【図１Ｂ】
2018138172.tif 000004
【図２】
2018138172.tif 000005
【図３】
2018138172.tif 000006
【図４】
2018138172.tif 000007
【図５】
2018138172.tif 000008
【図６】
2018138172.tif 000009
【図７】
2018138172.tif 000010
【図８】
2018138172.tif 000011
【図９】
2018138172.tif 000012
【図１０】
2018138172.tif 000013
【図１１】
2018138172.tif 000014
【図１２】
2018138172.tif 000015
【図１３】
2018138172.tif 000016
【図１４】
2018138172.tif 000017
【手続補正書】
【提出日】平成30年5月2日(2018.5.2)
【手続補正１】
【補正対象書類名】特許請求の範囲
【補正対象項目名】全文
【補正方法】変更
【補正の内容】
【特許請求の範囲】
【請求項１】
ランドリープレス装置であって、
上プレート(12)と、下プレート(13)と、前記上下プレート(12)(13)を離間して保持する複数のスペーサチューブ(14)と、前記スペーサチューブ内に配備された複数のロッド(15)と、を有するフレーム(11)を具え、
前記フレーム(11)は、バッチ処理された湿潤布地物品を収容できるように構成された内部(45)を有する容器(39)を支持すると共に、ラム(38)と該ラムの下端部で支持されたディスクとを含むプレスを支持し、前記ディスクが、容器(39)の内部(45)に収容されたバッチ処理物品の上面部に当接するように配置され、ラム(38)と前記ディスクは、上部位置と、ディスクを布地物品に当接させる押圧位置である下部位置との間で移動可能であり、
前記上プレート(12)及び前記下プレート(13)は、各々が、プレート上面と、プレート下面と、前記プレート上面及び前記プレート下面を貫く複数の開口孔(18)(21)と、を有し、
前記スペーサチューブ(14)の各々は、上端部が上プレート(12)のプレート下面に係合し、下端部が下プレート(13)のプレート上面に係合するように構成され、前記上プレート(12)及び下プレート(13)が離間して保持されるようにしており、
前記ロッド(15)の各々は、少なくとも一部分に上部ねじ部(26)が形成された上部大径部と、少なくとも一部分に下部ねじ部(27)が形成された下部大径部と、前記上部大径部及び前記下部大径部よりも小さい直径を有し、前記上部大径部及び前記下部大径部の間に延在するシャンク(30)と、を有し、前記上部大径部とシャンク(30)の間にはテーパ状の上部移行部(28)が形成され、前記下部大径部とシャンク(30)の間にはテーパ状の下部移行部(29)が形成されており、
前記ロッド(15)の各々は、上プレート(12)及び下プレート(13)の開口孔(18)(21)を通って延在し、前記上部移行部(28)が、上プレート(12)の開口孔(18)の中にあって上プレート(12)のプレート上面より下に位置し、前記下部移行部(29)が、下プレート(13)の開口孔(21)の中にあって下プレート(13)のプレート下面より上に位置しており、
ランドリープレス装置は、ロッド(15)の上部ねじ部(26)に接続可能な上部締結具(22)と、ロッド(15)の下部ねじ部(27)に接続可能な下部締結具(23)と、をさらに具え、前記上部締結具(22)及び前記下部締結具(23)が、各ロッド(15)に引張力を作用させ、各スペーサチューブ(14)に圧縮力を作用させる、ランドリープレス装置。
【請求項２】
上部締結具(22)及び下部締結具(23)は各々が、ナットを含む、請求項１のランドリープレス装置。
【請求項３】
ナットは環状スロットを有する、請求項２のランドリープレス装置。
【請求項４】
上部締結具(22)は、テンションナット(31)と、前記テンションナット(31)及び上プレート(12)の間に配置された予負荷リング(32)とを含み、下部締結具(23)は、テンションナット(31)と、前記テンションナット(31)及び下プレート(13)の間に配置された予負荷リング(32)とを含む、請求項２のランドリープレス装置。
【請求項５】
予負荷リング(32)は凹部を有し、テンションナット(31)は、前記凹部に整合する凸部を有する、請求項４のランドリープレス装置。
【請求項６】
ナットは、荷重支持面と、非荷重支持面と、荷重支持面及び非荷重支持面に亘る長さ部とを有し、環状スロットは、非荷重支持面よりも荷重支持面に近い位置にある、請求項３のランドリープレス装置。
【請求項７】
環状スロットと荷重支持面との離間距離は、前記長さ部の約１／４長さである、請求項６のランドリープレス装置。
【請求項８】
ロッド(15)の上部ねじ部(26)及び下部ねじ部(27)は、上プレート(12)及び下プレート(13)に接続されない、請求項１のランドリープレス装置。
【請求項９】
ランドリープレス装置であって、
ａ）上プレート(12)及び下プレート(13)を有し、バッチ洗濯処理された濡れ布地物品を収容できるように構成された内部(45)を有する容器(39)を支持するフレーム(11)と、
ｂ）各々がチューブボアを有し、前記上プレート(12)及び前記下プレート(13)を離間して保持する複数のスペーサチューブ(14)と、
ｃ）細長いラム(38)と該ラムの下端部で支持されたディスクを有するプレスと、を有し、
ｄ）前記ディスクが、容器(39)の内部(45)に収容されたバッチ処理物品の上面部に当接するように配置され、
ｅ）前記ラム(38)と前記ディスクは、上部位置と、ディスクを布地物品に当接させる押圧位置である下部位置との間で移動可能であり、
ｆ）前記上プレート(12)及び前記下プレート(13)は、各々が、プレート上面と、プレート下面と、前記プレート上面及び前記プレート下面を貫く複数の開口孔(18)(21)と、を有し、
ｇ）前記フレーム(11)は、前記複数のスペーサチューブ(14)内に配備された複数のロッド(15)を含み、前記ロッド(15)の各々が、上プレート(12)を超えて延びる上部ねじ部(26)と、下プレート(13)を超えて延びる下部ねじ部(27)と、前記上部ねじ部(26)と前記下部ねじ部(27)との間に延在し、直径が前記上部ねじ部(26)及び前記下部ねじ部(27)よりも小さいシャンク(30)とを有し、前記上部ねじ部(26)とシャンク(30)の間には上部ねじ部(26)へ向けて直径が拡大するテーパ状の上部移行部(28)が形成され、前記下部ねじ部(27)とシャンク(30)の間には下部ねじ部(27)へ向けて直径が拡大するテーパ状の下部移行部(29)が形成されており、
ｈ）前記ロッド(15)の各々は、上プレート(12)及び下プレート(13)の開口孔(18)(21)を通って延在し、前記上部移行部(28)が、上プレート(12)の開口孔(18)の中にあって上プレート(12)のプレート上面より下に位置し、前記下部移行部(29)が、下プレート(13)の開口孔(21)の中にあって下プレート(13)のプレート下面より上に位置しており、
ｉ）各ロッド(15)に引張力を作用させる締結具(22)(23)を具え、各ロッド(15)に引張力が作用しているとき、各スペーサチューブ(14)は圧縮状態にあり、前記締結具(22)(23)はロッド(15)の上部ねじ部(26)及び下部ねじ部(27)に接続可能である、ランドリープレス装置。
【請求項１０】
締結具(22)(23)の各々は、ロッド(15)の上部ねじ部(26)及び下部ねじ部(27)に接続可能なナットを含む、請求項９のランドリープレス装置。
【請求項１１】
ナットは環状スロットを有する、請求項１０のランドリープレス装置。
【請求項１２】
締結具(22)(23)は、テンションナット(31)と、前記テンションナット(31)及び上プレート(12)の間、又は前記テンションナット(31)及び下プレート(13)の間に配置された予負荷リング(32)と、を含む、請求項１０のランドリープレス装置。
【請求項１３】
各予負荷リング(32)は凹部を有し、テンションナット(31)は、前記凹部に整合する凸部を有する、請求項１２のランドリープレス装置。
【請求項１４】
ナットは、荷重支持面と、非荷重支持面と、荷重支持面及び非荷重支持面に亘る長さ部とを有し、環状スロットは、非荷重支持面よりも荷重支持面に近い位置にある、請求項１１のランドリープレス装置。
【請求項１５】
環状スロットと荷重支持面との離間距離は、前記長さ部の約１／４長さである、請求項１４のランドリープレス装置。
【請求項１６】
ロッド(15)の上部ねじ部(26)及び下部ねじ部(27)は、上プレート(12)及び下プレート(13)に接続されない、請求項９のランドリープレス装置。
【外国語明細書】
2018138172000001.pdf